(57)【要約】【課題】螺旋状に形成されたテープ本体と、このテープ本体の外周面に突出して設けられた針状突起とを備え、テープ本体を電線等の長尺状体に巻き付けて装着するようにした鳥害防止具において、多数の鳥害防止具を連続して能率的に電線に装着することができるようにし、且つ、長年の使用によっても脱落するおそれがないようにする。【解決手段】  螺旋状のテープ本体２１と、このテープ本体の外周面に突出して設けられた針状突起３１とを備る。テープ本体２１の少なくとも一端に、上記の突起を通すことが出来る貫通穴２２が形成され、この貫通穴２２に他のテープ本体２１の端部に設けられた針状突起３１を通してテープ本体同士を接続する。【選択図】          図１
0003137047.tif 000002
【実用新案登録請求の範囲】
【請求項１】
螺旋状に形成されたテープ本体と、このテープ本体の外周面に突出して設けられた針状突起とを備え、テープ本体を電線等の長尺状体に巻き付けて装着するようにした鳥害防止具において、
テープ本体の少なくとも一端に、上記の突起を通すことが出来る貫通穴が形成され、この貫通穴に他のテープ本体の端部に設けられた針状突起を通してテープ本体同士を接続できるようにしたことを特徴とする鳥害防止具。
【請求項２】
針状突起が一定間隔で設けられ、最も端部にある針状突起と上記の貫通穴との間隔が、針状突起間の間隔と等しく設定されたものであることを特徴とする請求項１記載の鳥害防止具。
【請求項３】
テープ本体と針状突起とが一体形成されたものであり、テープ本体がその一端から他端まで同じリード角であり同じ半径であり、一端と他端の双方に貫通穴が形成されたものであることを特徴とする請求項１又は２記載の鳥害防止具。
【考案の詳細な説明】
【技術分野】
【０００１】
本願考案は、鳥害防止具に関するものである。
【背景技術】
【０００２】
特許文献１に示す鳥害防止具が提案されている。この鳥害防止具は、螺旋状に形成されたテープ本体と、このテープ本体の外周面に突出して設けられた針
状突起とを備え、テープ本体を電線等の長尺状体に巻き付けて装着するようにしたものである。
この鳥害防止具にあっては、テープ本体の両端が外側に折れ曲がって形成されている。これは、この外側に折れ曲がった部分を外に引っ張ることによって、テープ本体が半径方向に広がって、電線に対する着脱が容易に行なえるようにしたものである。
【０００３】
ところが、この鳥害防止具は、螺旋状であるため、既設の電線に装着する場合には、スパイラルの周回数だけ電線の外周をグルグル回して装着する必要がある。そのため、あまりにも長い長さにしておくと、長い鳥害防止具を何回も何回も回す必要が生じて、装着に手間がかかってしまう。他方、短くしておくと、装着後の長年の風雨や鳥との接触などによって、電線に装着された状態で鳥害防止具が回転して電線から端部から外れてしまうおそれがあり、最悪の場合には落下するという事故が生じかねない。よって、鳥害防止具を電線に装着するだけでなく、別途固定する必要がある。しかしながら、上記のように、全長を短くなければ装着に手間がかかるため、長い電線には多数の鳥害防止具が必要となり、この多数の鳥害防止具を一つ一つを電線に固定していくという手間のかかる作業が必要となる。
【０００４】
【特許文献１】登録実用新案第３０４５７７５号公報
【考案の開示】
【考案が解決しようとする課題】
【０００５】
本願考案は、螺旋状に形成されたテープ本体と、このテープ本体の外周面に突出して設けられた針状突起とを備え、テープ本体を電線等の長尺状体に巻き付けて装着するようにした鳥害防止具において、多数の鳥害防止具を連続して能率的に電線に装着することができ、且つ、長年の使用によっても脱落するおそれがない鳥害防止具を提供せんとするものである。
【課題を解決するための手段】
【０００６】
本願の請求項１に係る考案は、螺旋状に形成されたテープ本体と、このテープ本体の外周面に突出して設けられた針状突起とを備え、テープ本体を電線等の長尺状体に巻き付けて装着するようにした鳥害防止具において、テープ本体の少なくとも一端に、上記の突起を通すことが出来る貫通穴が形成され、この貫通穴に他のテープ本体の端部に設けられた針状突起を通してテープ本体同士を接続できるようにしたことを特徴とする鳥害防止具を提供する。
本願の請求項２に係る考案は、針状突起が一定間隔で設けられ、最も端部にある針状突起と上記の貫通穴との間隔が、針状突起間の間隔と等しく設定されたものであることを特徴とする請求項１記載の鳥害防止具を提供する。
本願の請求項３に係る考案は、テープ本体と針状突起とが一体形成されたものであり、テープ本体がその一端から他端まで同じリード角であり同じ半径であり、一端と他端の双方に貫通穴が形成されたものであることを特徴とする請求項１又は２記載の鳥害防止具を提供するものである。
【考案の効果】
【０００７】
本願考案に係る鳥害防止具は、連続して鳥害防止具を電線などに巻き付けていく際、端部の貫通穴に端部の針状突起を通していくだけで、接続が完了する。かかる簡単な作業で、鳥害防止具同士は確実に接続されるもので、特に、電線と個々の鳥害防止具とを固定する必要はない。電線と鳥害防止具との接続は、接続した鳥害防止具群の両端において行なえば足り、その中間の鳥害防止具においては固定する必要がなく、連続的な装着作業が極めて能率的になったものである。
【考案を実施するための最良の形態】
【０００８】
以下、図面に基づき本願考案の実施の形態を説明する。
図１は本願考案の実施の形態に係る鳥害防止具の正面図であり、図２は同鳥害防止具の接続状態を示す正面図であり、図３は同鳥害防止具の側面図である。
【０００９】
この鳥害防止具１１は、螺旋状に形成されたテープ本体２１と、テープ本体２１の外周面に突出して設けられた針状突起３１とを備える。テープ本体２１と針状突起３１とは別々に整形したものであってもよいが、この例では、人の手で変形させることができ且つ元に戻る程度の弾性を有する合成樹脂で一体に成形されている。
【００１０】
テープ本体２１は、一端から他端まで、同一半径で同一スパイラルのリード角を備えたものである。その両端の外周縁は、半円形となっているが、矩形状などの適宜形状にしてもよい。また幅は同一幅となっているが、途中で若干変化させてもよい。長さは軸方向の直線長さで３００〜２０００mm程度、特に４００〜６００mmが適当である。
【００１１】
針状突起３１は、鳥が嫌がるように先端がとがっている突起である。長さは、対象とする鳥の大きさによるが４０〜１００mm程度とすることが好ましい。短すぎると鳥排除効果が十分発揮されず、長すぎると重量が大きくなり、風等の抵抗が大きくなってしまう。針状突起３１の径は、３〜２０mm程度とする。小さすぎると曲がりやすく、長すぎると重量が大きくなり、風等の抵抗が大きくなってしまう。この針状突起３１はすべて同一の大きさ長さとしてもよいが、異なる長さのものを複数種類配位するようにしてもよい。  
【００１２】
テープ本体２１の少なくとも一端に、この例では両端に、針状突起３１を通すことが出来る貫通穴貫通穴２２が形成されている。この貫通穴２２に、他の鳥害防止具１１のテープ本体２１の端部に設けられた針状突起３１を通して鳥害防止具１１同士を接続する。よって、貫通穴２２の径は、テープ本体２１と略等しくすることが好ましい。貫通穴２２は両端に１個ずつとしているが、２個や３個としてもよい。
【００１３】
針状突起３１と針状突起３１との間隔は、特に制限はなく鳥を能率的に排除できるものであればよいが、この例では一定間隔で設けられる。具体的には、６０度間隔となるように配置されている。そして、最も端部にある針状突起３１と貫通穴２２との間隔が、隣り合う針状突起３１と針状突起３１との間隔と等しく設定されたものであり、６０度間隔となっている。これにより、鳥害防止具１１同士を接続した場合、等間隔で針状突起３１が並ぶこととなり、どの部分でも同じ条件で鳥を排除できる。
【００１４】
またテープ本体２１が、従来の特許文献１のように端部が外側に折り曲がっているのではなく、その一端から両端まで同じリード角であり同じ半径であることによって、テープ本体２１を電線等の長尺状体に巻き付けて装着して接続していく場合、テープ本体２１の端部同士が自然に重なり合うこととなり、鳥害防止具１１同士を無理なく接続できる。
【００１５】
このような構成を備えた鳥害防止具１１は、電線等の長尺状体に次々と巻き付けいって装着する。そして、１つの鳥害防止具１１が装着し終えると、その最も端の針状突起３１に、次の鳥害防止具１１の端の貫通穴２２を通した上で巻き付ける。これだけの作業で、鳥害防止具１１同士は確実に接続されるもので、特に、電線と個々の鳥害防止具１１とを固定する必要はない。電線と鳥害防止具１１との接続は、接続した鳥害防止具１１群の両端において行なえば足り、その中間の鳥害防止具１１においては固定する必要がなく、連続的な装着作業が極めて能率的になったものである。
【図面の簡単な説明】
【００１６】
【図１】本願考案の実施の形態に係る鳥害防止具の正面図である。
【図２】同鳥害防止具の接続状態を示す正面図である。
【図３】同鳥害防止具の側面図である。
【符号の説明】
【００１７】
１１  鳥害防止具
２１  テープ本体
２２  貫通穴
３１  針状突起
【図１】
0003137047.tif 000003
【図２】
0003137047.tif 000004
【図３】
0003137047.tif 000005